(57)【要約】      （修正有）【課題】水撃作用にも充分な耐圧性能を備えつつ安価で嵩張ることのないガラス管を配した検流器並びに該検流器を用いた検流方法を提供する。【解決手段】流路管の中間箇所に設けられて流体の流れを監視するための検流器であって、流入口と流出口を連通する中空流路と中空流路の長手方向略中央にガラス管の挿嵌部が形成された筒状の本体と、長手方向に貫通する流路が形成された円筒状のガラス管とから成り、本体の外周面長手方向略中央には、挿嵌部まで貫通する覗き孔が対向する正背両側に開口されると共に、覗き孔を挟んで流入口側及び流出口側の所定箇所にＯリング状のシール材が配設され、挿嵌部より流出口側の中空流路はガラス管の外径よりも幅狭に形成され、且つ、挿嵌部より流入口側の中空流路には雌ネジが形成されることで挿嵌されたガラス管を押さえる枠体が螺合可能となっており、本体の挿嵌部にガラス管を挿嵌した状態で枠体を螺合する。【選択図】図１
2019117166.tif 000002
【特許請求の範囲】
【請求項１】
流体が流れる流路管の中間箇所に設けられて該流体の流れを監視するための検流器であって、
流入口から流出口まで連通する中空流路と該中空流路の長手方向略中央箇所にガラス管を挿嵌可能な挿嵌部が形成された筒状の本体と、長手方向に貫通する流路が形成された円筒状のガラス管と、から成り、
本体の外周面長手方向略中央箇所には、挿嵌部まで貫通する覗き孔が対向する正背両側に夫々開口されると共に、挿嵌部における覗き孔を挟んで流入口側及び流出口側の所定箇所にＯリング状のシール材が配設され、挿嵌部より流出口側の中空流路はガラス管の外径よりも幅狭の突き当て部が形成され、且つ、挿嵌部より流入口側の中空流路には雌ネジ部が形成されることで挿嵌されたガラス管を押さえる枠体が螺合可能となっており、
本体の挿嵌部にガラス管を挿嵌した状態で枠体を螺合して成ることを特徴とする検流器。
【請求項２】
前記本体若しくは枠体の所定箇所に一端が係止されると共に、流体の流れに合わせて前記ガラス管の流路内に挿通される所用長さを有した紐状の流視体が備えられていることを特徴とする請求項１に記載の検流器。
【請求項３】
前記覗き孔が、本体外周面に向け拡開したテーパ状に形成されて成ることを特徴とする請求項１または請求項２に記載の検流器。
【請求項４】
正背両側に開口された前記覗き孔のうちいずれか一方の覗き孔の周縁に、外方へ延伸する所用長さを有する突起部が形成されると共に、該突起部に引っ掛けられる紐状体を有する懐中電灯が備えられて成ることを特徴とする請求項１乃至請求項３のいずれか記載の検流器。
【請求項５】
前記懐中電灯の灯光部が、前記覗き孔に嵌合可能な径で形成されて成ることを特徴とする請求項４に記載の検流器。
【請求項６】
前記請求項１乃至５に記載の検流器を用いて流体の流れを目視する検流方法であって、
本体における正背両側に開口された覗き孔のうちいずれか一方の覗き孔から懐中電灯により灯光を行うと共に、他方の覗き孔から灯光を介して流体の流れを目視することを特徴とする検流方法。
【発明の詳細な説明】
【技術分野】
【０００１】
本発明は、検流器並びに該検流器を用いた検流方法に関し、詳しくは、ガラス管を介して覗き孔から流体を目視可能な検流器と、該検流器の一方の覗き孔から光を当てることで他方の覗き穴から流体を目視する検流方法に関するものである。
【背景技術】
【０００２】
検流器は、流体の流れを監視するものであって、覗き窓を備えて流体が流れる流路管の中間箇所に設けられ、該覗き窓から目視により確認することで、流体の流れを監視するものである。
【０００３】
従来の検流器は、図６や特許文献１乃至２に記載の様に、流路管と接続可能な中空流路を備える本体の胴部に全体を貫通する様に正背両側に覗き孔を形成し、その正背両側の各覗き孔を閉塞する様に夫々に平板状のガラス板が嵌め込まれ、その外側からガラス板を押さえる枠体を装着した構造を採用しており、かかるガラス板を介して中空流路を流れる流体が目視可能となっている。
【０００４】
しかしながら、上記の様な従来の検流器によれば、中空流路を流れる流体が覗き孔から漏出しないよう、本体とガラス板の間並びにガラス板と枠体の間に平パッキンなどのシール材を介在させる必要があり、正背両側を併せると少なくとも四つのシール材が絶対的に必要な構造であった。また、一の検流器に覗き孔は正背両側の二つあるため、該覗き孔に嵌め込まれるガラス板も二つ用意する必要があった。さらに、覗き孔に嵌め込まれる平板状のガラス板は、耐圧性能が金属より弱いため割れ易く、流体の止栓時など水撃作用により割れてしまう危険があった。かかる危険を回避すべく、ガラス板の耐圧性能を向上させようとした場合には、必然的にガラス板の厚さを増大させる必要があるため、非常に高価になって装置全体のコストＵＰを招くと共に、一構成部品として大きさが嵩張ってしまう、といった問題があった。
【０００５】
本出願人は、流体を目視するためのガラスに着目し、水撃作用にも充分な耐圧性能を備えつつ安価で嵩張ることのないガラスによって検流器の覗き孔を閉塞できないものかとの着想のもと、ガラス管を使用することで安価且つ嵩張らずして水撃作用への耐性を備えると共に、正背両側の二つの覗き孔を一のガラス管で閉塞することが可能であり、しかもシール材の使用数を少なく抑えることが可能な検流器を開発し、本発明にかかる「検流器並びに該検流器を用いた検流方法」の提案に至るものである。
【先行技術文献】
【特許文献】
【０００６】
【特許文献１】特開平１１−１１８５４０号公報
【特許文献２】実開昭６２−１７４２７５号公報
【発明の概要】
【発明が解決しようとする課題】
【０００７】
本発明は、上記問題点に鑑み、水撃作用にも充分な耐圧性能を備えつつ安価で嵩張ることのないガラス管を配した検流器並びに該検流器を用いた検流方法を提供することを課題とする。
【課題を解決するための手段】
【０００８】
上述の課題を解決すため、本発明は、流体が流れる流路管の中間箇所に設けられて該流体の流れを監視するための検流器であって、流入口から流出口まで連通する中空流路と該中空流路の長手方向略中央箇所にガラス管を挿嵌可能な挿嵌部が形成された筒状の本体と、長手方向に貫通する流路が形成された円筒状のガラス管と、から成り、本体の外周面長手方向略中央箇所には、挿嵌部まで貫通する覗き孔が対向する正背両側に夫々開口されると共に、挿嵌部における覗き孔を挟んで流入口側及び流出口側の所定箇所にＯリング状のシール材が配設され、挿嵌部より流出口側の中空流路はガラス管の外径よりも幅狭の突き当て部が形成され、且つ、挿嵌部より流入口側の中空流路には雌ネジ部が形成されることで挿嵌されたガラス管を押さえる枠体が螺合可能となっており、本体の挿嵌部にガラス管を挿嵌した状態で枠体を螺合して成る手段を採る。
【０００９】
また、本発明は、前記本体若しくは枠体の所定箇所に一端が係止されると共に、流体の流れに合わせて前記ガラス管の流路内に挿通される所用長さを有した紐状の流視体が備えられている手段を採る。
【００１０】
さらに、本発明は、前記覗き孔が、本体外周面に向け拡開したテーパ状に形成されて成る手段を採り得る。
【００１１】
またさらに、本発明は、正背両側に開口された前記覗き孔のうちいずれか一方の覗き孔の周縁に、外方へ延伸する所用長さを有する突起部が形成されると共に、該突起部に引っ掛けられる紐状体を有する懐中電灯が備えられて成る手段を採ることもできる。
【００１２】
さらにまた、本発明は、前記懐中電灯の灯光部が、前記覗き孔に嵌合可能な径で形成されて成る手段を採ることも可能である。
【００１３】
そしてまた、本発明は、前記検流器を用いて流体の流れを目視する検流方法であって、本体における正背両側に開口された覗き孔のうちいずれか一方の覗き孔から懐中電灯により灯光を行うと共に、他方の覗き孔から灯光を介して流体の流れを目視する手段を採用する。
【発明の効果】
【００１４】
本発明にかかる検流器によれば、従来の検流器に用いられていたガラス板に代えて円筒状のガラス管を採用することで、優れた耐圧性能を発揮し得るため、水撃作用により流体に高圧が負荷された場合であっても破損するおそれはなく、安全・安心な検流器を提供することができる、といった優れた効果を奏するものである。
【００１５】
また、本発明にかかる検流器によれば、上記のとおり耐圧性能に優れていることから、ガラス板の場合に比しガラス管の厚さを肉厚にする必要はなく、嵩張ることなく安価に提供することができると共に、部品点数も従来の二枚のガラス板に対し一つのカラス管で足りるため、装置全体のコストダウンに資すると共に、各構成部品の省スペース化に資する、といった優れた効果を奏するものである。
【００１６】
さらに、従来の検流器では、少なくとも四つのシール材が絶対的に必要であったところ、本発明にかかる検流器によれば、Ｏリング状のシール材二つで足りるため、部品点数の少数化並びにコストダウンに資する、といった優れた効果を奏するものである。
【００１７】
またさらに、本発明にかかる検流器によれば、流体の流れに合わせてガラス管の流路内に挿通される流視体が備えられることで、流体が無色透明な気体や液体の場合など、流体自体の目視が困難な場合であっても、流視体のなびく動きを目視確認することで、確実な流体の流れの監視が可能である、といった優れた効果を奏するものでる。
【００１８】
さらにまた、本発明にかかる検流方法によれば、周囲が暗い環境下や流体の流速が遅い場合など流体の流れが確認し難い場合に、一方の覗き孔から該懐中電灯による灯光を行うことで、他方の覗き孔から確実な流体の流れを目視することが可能である、といった優れた効果を奏するものである。
【００１９】
そしてまた、本発明にかかる検流器によれば、懐中電灯を付属させることで、検流に際し懐中電灯を持ち歩くことなく、上記した検流方法をいつでも即座に行うことが可能となって、確実な流体の流れの目視に資する、といった優れた効果を奏するものである。
【図面の簡単な説明】
【００２０】
【図１】本発明にかかる検流器の実施形態を示す説明図である。（実施例１）
【図２】本発明にかかる検流器の実施形態を示す説明図である。（実施例１）
【図３】本発明にかかる検流器の他の実施形態を示す説明図である。（実施例２）
【図４】本発明にかかる検流方法の実施態様を示す説明図である。（実施例３）
【図５】本発明にかかる検流方法の実施態様を示す説明図である。（実施例３）
【図６】従来における検流器の実施形態を示す説明図である。
【発明を実施するための形態】
【００２１】
本発明にかかる検流器１は、流入口１１から流出口１２まで連通する中空流路１３と該中空流路１３の長手方向略中央箇所にガラス管２０を挿嵌可能な挿嵌部１４が形成された筒状の本体１０と、長手方向に貫通する流路２１が形成された円筒状のガラス管２０と、から成り、本体１０の外周面長手方向略中央箇所には、挿嵌部１４まで貫通する覗き孔１５が対向する正背両側に夫々開口されると共に、挿嵌部１４における覗き孔１５を挟んで流入口１１側及び流出口１２側の所定箇所にＯリング状のシール材１６が配設され、挿嵌部１４より流出口１２側の中空流路１３はガラス管２０の外径よりも幅狭の突き当て部１７が形成され、且つ、挿嵌部１４より流入口１１側の中空流路１３には雌ネジ部１８が形成されることで挿嵌されたガラス管２０を押さえる枠体１９が螺合可能となっており、本体１０の挿嵌部１４にガラス管２０を挿嵌した状態で枠体１９を螺合して成ることを最大の特徴とする。
以下、本発明にかかる検流器１並びに該検流器１を用いた検流方法を、図面に基づき詳細に説明する。
【００２２】
なお、本発明にかかる検流器１並びに該検流器１を用いた検流方法は、以下に述べる実施例に限定されるものではなく、本考案の技術的思想の範囲内、すなわち同一の作用効果を発揮できる形状や寸法等の範囲内で適宜変更することができるものであり、また、実施例記載の文言通りに狭義に解釈されるものではなく、同様の作用効果を発揮し得る範囲内で広義に解釈されるものである。
【実施例１】
【００２３】
図１及び図２は、本発明にかかる検流器１の実施形態を示しており、図１（ａ）は検流器１の全体斜視図、図１（ｂ）は検流器１の側断面図、図２はガラス管２０の斜視図である。本発明は、流体が流れる流路管の中間箇所に設けられて該流体の流れを監視するための検流器１であって、本体１０とガラス管２０とで構成される。
【００２４】
本体１０は、例えば金属製により筒状に成形されて成り、流体が流入する流入口１１と、流入した流体が流出する流出口１２を備え、該流入口１１から流出口１２まで連通する中空流路１３が形成されている。該中空流路１３における流入口１１及び流出口１２の近傍内面には、流路管に接続可能な様に接続手段（例えば雌ネジ）が形成されている。
【００２５】
本体１０の中空流路１３における長手方向略中央箇所には、円筒状のガラス管２０を挿嵌可能な挿嵌部１４が形成されている。該挿嵌部１４は、ガラス管２０を隙間なく挿嵌し得るべく、ガラス管２０の長さ及び外径と略同一長さ且つ略同径の円筒状に形成されている。
【００２６】
このとき、挿嵌部１４より流出口１２側の中空流路１３は、ガラス管２０の外径よりも幅狭に形成されており、これにより挿嵌部１４の最奥箇所に突き当て部１７が形成され、挿嵌されたガラス管２０は該突き当て部１７に突き当たって、それ以上先（流出口１２側）に進入することはない。また、挿嵌部１４より流入口１１側の中空流路１３には、雌ネジ部１８が形成され、該雌ネジ部１８には枠体１９が螺合される。該枠体１９は、挿嵌部１４に挿嵌されたガラス管２０を押さえて固定するためのものであって、先端外周面に雌ネジ部１８と螺合可能な雄ネジ部１９ａが形成されると共に、流入口１１側の中空流路１３とガラス管２０の流路２１とを連通するための貫通した連通孔１９ｂが形成されている。
【００２７】
本体１０の外周面における長手方向略中央箇所には、挿嵌部１４まで貫通する様に覗き孔１５が開口されている。該覗き孔１５は、本体１０の外周面における対向する正背両側に夫々設けられており、すなわち一の本体１０に二つの覗き孔１５が開口されている。かかる覗き孔１５が形成されることで、挿嵌部１４に挿嵌されたガラス管２０を介して、流体の流れを該覗き孔１５から目視可能となる。
【００２８】
覗き孔１５の形状について、本体１０の外周面に向けて拡開したテーパ状に形成されることが好ましい。かかるテーパ状に形成することで、覗き孔１５から広角的に流体を目視することが可能となる。このとき、覗き孔１５全体をテーパ状にすることも考え得るが、本体１０の厚幅途中から外周面側をテーパ状に形成する態様であってもよい。
【００２９】
挿嵌部１４において、覗き孔１５を挟んで流入口１１側と流出口１２側には、シール材１６が配設されている。かかるシール材１６は、本体１０の中空流路１３を流れる流体が、挿嵌部１４とガラス管２０との間を浸行して覗き孔１５から漏出するのを防止すべく、設けられるものである。該シール材１６は、ガラス管２０の外周をシールすべく、Ｏリング状のシール材１６となっている。
【００３０】
ガラス管２０は、文字通りガラス製の管体であって、図２に示す様に、円筒状となっている。該ガラス管２０は、流体が流れる管体として機能すべく、長手方向に貫通する流路２１が形成されて成る。
【００３１】
以上の各構成要素から成る検流器１は、本体１０の挿嵌部１４に流入口１１側からガラス管２０を挿嵌し、その状態で枠体１９を螺合してガラス管２０を固定することで構成されている。該検流器１は、流体が流れる流路管の中間箇所に取付設置され、該流体の流れを目視により監視可能にするものである。具体的には、流路管を流れてきた流体は、検流器１における本体１０の流入口１１から中空流路１３に流入し、枠体１９の連通孔１９ｂを介してガラス管２０の流路２１を通過し、中空流路１３を経て流出口１２から流路管へ流出される。その際、ガラス管２０の流路２１を通過中の流体の流れを、覗き孔１５を介して目視により確認することで、検流が為されることとなる。
【００３２】
ところで、上記構成から成る検流器１において、流視体２２を備える態様が考え得る。該流視体２２は、所用長さを有した紐状物であって、例えば紐や糸、帯状体などから成る。該流視体２２は、その一端が挿嵌部１４より上流側（流入口１１側）の本体１０若しくは枠体１９の所定箇所に係止され、流体の流れに合わせてガラス管２０の流路２１内に挿通される。尚、図面では、該流視体２２の一端が枠体１９に設けられた突部１９ｃに係止された場合について示している。該流視体２２の長さについては、特に限定はないが、少なくとも係止箇所から覗き孔１５を介して視認可能な長さを要する。
【００３３】
前記流視体２２の材質については、特に限定はないが、流体が液体の場合を考慮し、ナイロンなどといった撥水素材により成形されることが好ましい。このとき、該流視体２２の色彩を蛍光色にしたり、あるいは、蓄光素材を含有させることも可能であり、それにより周囲が暗い環境下であっても、流視体２２の動きの視認性向上に資することとなる。
【００３４】
このように、流視体２２を備える態様を採用することで、ガラス管２０を介して覗き孔１５から該流視体２２のなびく動きを目視確認することが可能であって、流体が無色透明な気体や液体の場合など、流体自体の目視が困難な場合であっても、該流視体２２の動きを通して確実な流体の流れの監視が可能となる。
【実施例２】
【００３５】
次に、本発明にかかる検流器１の他の実施形態について説明する。上記実施例１と同様の部分は、説明を省略する。
図３は、本発明にかかる検流器１の他の実施形態を示す全体斜視図である。当該他の実施形態にかかる検流器１は、上記実施例１で説明した検流器１に付属して、覗き孔１５の周縁に突起部３０が形成されると共に、懐中電灯４０を装備した構成となっている。
【００３６】
突起部３０は、懐中電灯４０に備えられる紐状体４１を引っ掛け得るべく設けられるもので、本体１０における正背両側に開口された覗き孔１５のうちいずれか一方の覗き孔１５の周縁に、外方へ延伸する所用長さを有して形成される。突起部３０を本体１０に形成する際の具体的態様については、例えば本体１０に所要深さのネジ穴を切って、該ネジ穴にネジ体をねじ込み固定する態様や、穿孔した穴に棒状体を差し込み固定する態様などが考え得る。
【００３７】
懐中電灯４０については、電池等の電源部と、該電源部からの送電を受けて灯光する灯光部４２と、送電のＯＮ・ＯＦＦを切り替えるスイッチとを備える常法のものを使用すれば足り、特に限定するものではない。該懐中電灯４０は環状の紐状体４１を有しており、該紐状体４１を介して前記突起部３０に引っ掛け可能となっている。該紐状体４１について、懐中電灯４０の何処の箇所に備えられるかは限定するものでなく、例えば図示の様に懐中電灯４０の後端部であったり、あるいは胴部所定箇所に備えられる態様であってもよい。該紐状体４１の材質や構造についても限定はなく、図示の様な鎖状物であったり、あるいはゴム紐や布紐などが考え得る。
【００３８】
ところで、懐中電灯４０の灯光部４２について、本体１０に開口された覗き孔１５に嵌合可能とする形態が考え得る。すなわち、灯光部４２の外径が、覗き孔１５の内径よりも小径に形成される態様である。これにより、一方の覗き孔１５を懐中電灯４０により灯光しつつ他方の覗き孔１５から流体の流れを目視しようとした場合に、灯光部４２を覗き孔１５に嵌合させた状態で行うことで、灯光部４２からの灯光が全て覗き孔１５内に収まり外部に漏れることがないため、反対側から目視している目が灯光に照らされて眩しくなることがなく、確実な流体目視が可能となる。
【００３９】
以上の構成からなる検流器１は、本体１０に形成された突起部３０に紐状体４１を介して引っ掛けられた懐中電灯４０が付属品として装備されていることから、該懐中電灯４０を使って一方の覗き孔１５を灯光することで、他方の覗き孔１５における流体の流れの目視が確実に可能となるもので、懐中電灯４０の灯光部４２を覗き孔１５に嵌合可能な形態とすることで、より確実な流体目視に資することとなる。
【実施例３】
【００４０】
次に、本発明にかかる検流方法の実施態様について説明する。図４乃至図５は、本発明にかかる検流方法の実施態様を示しており、図４は全体斜視図、図５は部分断面図である。本発明にかかる検流方法は、前記検流器１を用いて流体の流れを目視する検流方法であり、以下のプロセスから成る。
【００４１】
すなわち、本発明にかかる検流方法は、先ず検流器１の本体１０に開口された覗き孔１５から、懐中電灯４０を使用して灯光を行う。このとき、本体１０の正背両側に開口された覗き孔１５のうち、いずれか一方の覗き孔１５から灯光を行う。灯光に使用する懐中電灯４０については、特に限定はないが、上記実施例２の様に検流器１に懐中電灯４０が装備されている場合は、その装備された懐中電灯４０が使用される。
【００４２】
次に、他方の覗き孔１５すなわち懐中電灯４０による灯光が為された覗き孔１５と反対側の覗き孔１５から、流体の流れを目視する。目視する覗き孔１５の反対側が灯光されていることで、ガラス管２０内を流れる流体が灯光に照らされ、流体の流れが確実に目視可能になる。
【００４３】
以上のプロセスからなる検流方法によれば、灯光に照らされた状態の流体を目視確認できることから、周囲が暗い環境下や流体の流速が遅い場合などであっても、確実な流体の流れを目視することが可能である。
【産業上の利用可能性】
【００４４】
本発明にかかる「検流器並びに該検流器を用いた検流方法」は、〔発明の効果〕に記載のとおり、多くの優れた効果を奏するものであって、流体が流れるあらゆる流路管の中間箇所に設けることができ、そこを流れる流体を監視するものとして、多くの場面で利用可能である。したがって、本発明の産業上の利用可能性は大であると思料する。
【符号の説明】
【００４５】
１    検流器
１０    本体
１１    流入口
１２    流出口
１３    中空流路
１４    挿嵌部
１５    覗き孔
１６    シール材
１７    突き当て部
１８    雌ネジ部
１９    枠体
１９ａ  雄ネジ部
１９ｂ  連通孔
１９ｃ  突部
２０    ガラス管
２１    流路
２２    流視体
３０    突起部
４０    懐中電灯
４１    紐状体
４２    灯光部
【図１】
2019117166.tif 000003
【図２】
2019117166.tif 000004
【図３】
2019117166.tif 000005
【図４】
2019117166.tif 000006
【図５】
2019117166.tif 000007
【図６】
2019117166.tif 000008
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
流体が流れる流路管の中間箇所に設けられて該流体の流れを監視するための検流器であって、
流入口から流出口まで連通する中空流路と該中空流路の長手方向略中央箇所にガラス管を挿嵌可能な挿嵌部が形成された筒状の本体と、長手方向に貫通する流路が形成された円筒状のガラス管と、から成り、
本体の外周面長手方向略中央箇所には、挿嵌部まで貫通する覗き孔が対向する正背両側に夫々開口されると共に、挿嵌部における覗き孔を挟んで流入口側及び流出口側の所定箇所にＯリング状のシール材が配設され、挿嵌部より流出口側の中空流路はガラス管の外径よりも幅狭の突き当て部が形成され、且つ、挿嵌部より流入口側の中空流路には雌ネジ部が形成されることで挿嵌されたガラス管を押さえる枠体が螺合可能となっており、
本体の挿嵌部にガラス管を挿嵌した状態で枠体を螺合して成り、
正背両側に開口された覗き孔のうちいずれか一方の覗き孔の周縁に、外方へ延伸する所用長さを有する突起部が形成されると共に、該突起部に引っ掛けられる紐状体を有する懐中電灯が備えられて成り、
該懐中電灯の灯光部が、覗き孔に嵌合可能な径で形成されて成ることを特徴とする検流器。
【請求項２】
前記請求項１に記載の検流器を用いて流体の流れを目視する検流方法であって、
本体における正背両側に開口された覗き孔のうちいずれか一方の覗き孔に懐中電灯の灯光部を嵌合した状態で灯光を行うと共に、他方の覗き孔から灯光を介して流体の流れを目視することを特徴とする検流方法。
【手続補正２】
【補正対象書類名】明細書
【補正対象項目名】０００９
【補正方法】変更
【補正の内容】
【０００９】
また、本発明は、前記本体若しくは枠体の所定箇所に一端が係止されると共に、流体の流れに合わせて前記ガラス管の流路内に挿通される所用長さを有した紐状の流視体が備えられている手段を採り得る。
【手続補正３】
【補正対象書類名】明細書
【補正対象項目名】００１１
【補正方法】変更
【補正の内容】
【００１１】
またさらに、本発明は、正背両側に開口された前記覗き孔のうちいずれか一方の覗き孔の周縁に、外方へ延伸する所用長さを有する突起部が形成されると共に、該突起部に引っ掛けられる紐状体を有する懐中電灯が備えられて成る手段を採用する。
【手続補正４】
【補正対象書類名】明細書
【補正対象項目名】００１２
【補正方法】変更
【補正の内容】
【００１２】
さらにまた、本発明は、前記懐中電灯の灯光部が、前記覗き孔に嵌合可能な径で形成されて成る手段を採用する。
【手続補正５】
【補正対象書類名】明細書
【補正対象項目名】００１３
【補正方法】変更
【補正の内容】
【００１３】
そしてまた、本発明は、前記検流器を用いて流体の流れを目視する検流方法であって、本体における正背両側に開口された覗き孔のうちいずれか一方の覗き孔に懐中電灯の灯光部を嵌合した状態で灯光を行うと共に、他方の覗き孔から灯光を介して流体の流れを目視する手段を採用する。
【手続補正６】
【補正対象書類名】明細書
【補正対象項目名】００２０
【補正方法】変更
【補正の内容】
【００２０】
【図１】本発明にかかる検流器の本体部分を示す説明図である。（実施例１）
【図２】本発明にかかる検流器のガラス管を示す説明図である。（実施例１）
【図３】本発明にかかる検流器の実施形態を示す説明図である。（実施例２）
【図４】本発明にかかる検流方法の実施態様を示す説明図である。（実施例３）
【図５】本発明にかかる検流方法の実施態様を示す説明図である。（実施例３）
【図６】従来における検流器の実施形態を示す説明図である。
【手続補正７】
【補正対象書類名】明細書
【補正対象項目名】００２１
【補正方法】変更
【補正の内容】
【００２１】
本発明にかかる検流器１は、流入口１１から流出口１２まで連通する中空流路１３と該中空流路１３の長手方向略中央箇所にガラス管２０を挿嵌可能な挿嵌部１４が形成された筒状の本体１０と、長手方向に貫通する流路２１が形成された円筒状のガラス管２０と、から成り、本体１０の外周面長手方向略中央箇所には、挿嵌部１４まで貫通する覗き孔１５が対向する正背両側に夫々開口されると共に、挿嵌部１４における覗き孔１５を挟んで流入口１１側及び流出口１２側の所定箇所にＯリング状のシール材１６が配設され、挿嵌部１４より流出口１２側の中空流路１３はガラス管２０の外径よりも幅狭の突き当て部１７が形成され、且つ、挿嵌部１４より流入口１１側の中空流路１３には雌ネジ部１８が形成されることで挿嵌されたガラス管２０を押さえる枠体１９が螺合可能となっており、本体１０の挿嵌部１４にガラス管２０を挿嵌した状態で枠体１９を螺合して成り、正背両側に開口された覗き孔のうちいずれか一方の覗き孔の周縁に、外方へ延伸する所用長さを有する突起部が形成されると共に、該突起部に引っ掛けられる紐状体を有する懐中電灯が備えられて成り、該懐中電灯の灯光部が、覗き孔に嵌合可能な径で形成されて成ることを最大の特徴とする。
以下、本発明にかかる検流器１並びに該検流器１を用いた検流方法を、図面に基づき詳細に説明する。
【手続補正８】
【補正対象書類名】明細書
【補正対象項目名】００２３
【補正方法】変更
【補正の内容】
【００２３】
図１及び図２は、本発明にかかる検流器１の本体１０を示しており、図１（ａ）は本体１０の全体斜視図、図１（ｂ）は本体１０の側断面図、図２はガラス管２０の斜視図である。本発明は、流体が流れる流路管の中間箇所に設けられて該流体の流れを監視するための検流器１であって、本体１０とガラス管２０とで構成される。
【手続補正９】
【補正対象書類名】明細書
【補正対象項目名】００３１
【補正方法】変更
【補正の内容】
【００３１】
以上の各構成要素から成る検流器１の本体１０は、本体１０の挿嵌部１４に流入口１１側からガラス管２０を挿嵌し、その状態で枠体１９を螺合してガラス管２０を固定することで構成されている。該検流器１は、流体が流れる流路管の中間箇所に取付設置され、該流体の流れを目視により監視可能にするものである。具体的には、流路管を流れてきた流体は、検流器１における本体１０の流入口１１から中空流路１３に流入し、枠体１９の連通孔１９ｂを介してガラス管２０の流路２１を通過し、中空流路１３を経て流出口１２から流路管へ流出される。その際、ガラス管２０の流路２１を通過中の流体の流れを、覗き孔１５を介して目視により確認することで、検流が為されることとなる。
【手続補正１０】
【補正対象書類名】明細書
【補正対象項目名】００３５
【補正方法】変更
【補正の内容】
【００３５】
次に、本発明にかかる検流器１の実施形態について説明する。上記実施例１と同様の部分は、説明を省略する。
図３は、本発明にかかる検流器１の実施形態を示す全体斜視図である。当該本発明にかかる検流器１は、上記実施例１で説明した検流器１に付属して、覗き孔１５の周縁に突起部３０が形成されると共に、懐中電灯４０を装備した構成となっている。
【手続補正１１】
【補正対象書類名】明細書
【補正対象項目名】００３８
【補正方法】変更
【補正の内容】
【００３８】
ところで、懐中電灯４０の灯光部４２について、本体１０に開口された覗き孔１５に嵌合可能とする形態を採用する。すなわち、灯光部４２の外径が、覗き孔１５の内径よりも小径に形成される態様である。これにより、一方の覗き孔１５を懐中電灯４０により灯光しつつ他方の覗き孔１５から流体の流れを目視しようとした場合に、灯光部４２を覗き孔１５に嵌合させた状態で行うことで、灯光部４２からの灯光が全て覗き孔１５内に収まり外部に漏れることがないため、反対側から目視している目が灯光に照らされて眩しくなることがなく、確実な流体目視が可能となる。
【手続補正１２】
【補正対象書類名】明細書
【補正対象項目名】００４１
【補正方法】変更
【補正の内容】
【００４１】
すなわち、本発明にかかる検流方法は、先ず検流器１の本体１０に開口された覗き孔１５に懐中電灯４０の灯光部４２を嵌合した状態で灯光を行う。このとき、本体１０の正背両側に開口された覗き孔１５のうち、いずれか一方の覗き孔１５から灯光を行う。灯光に使用する懐中電灯４０については、上記実施例２の様に、検流器１に装備された懐中電灯４０が使用される。